(57)【要約】【課題】防水機能と緩衝機能とを併せ持つパッキンを備え、組立性が良好な電子機器を提供すること。【解決手段】表示パネルを有する表示パネルユニットと、当該表示パネルユニットを収納し、前記表示パネルの表示領域を視認させることができる窓部を有する筐体と、前記筐体と前記表示パネルユニットとの間に配設されるパッキンと、を備えた電子機器において、前記パッキンは、前記窓部の内側面と前記表示パネルユニットとの間に配置される防水部と前記表示パネルユニットの側面と前記筐体の内側面との間に配置される緩衝部とが弾性体により一体成形されていることとした。【選択図】図３
2010186266.tif 000002
【特許請求の範囲】
【請求項１】
表示パネルを有する表示パネルユニットと、
当該表示パネルユニットを収納し、前記表示パネルの表示領域を視認させることができる窓部を有する筐体と、
前記筐体と前記表示パネルユニットとの間に配設されるパッキンと、
を備えた電子機器において、
前記パッキンは、
前記窓部の内側面と前記表示パネルユニットとの間に配置される防水部と前記表示パネルユニットの側面と前記筐体の内側面との間に配置される緩衝部とが弾性体により一体成形されていることを特徴とする電子機器。
【請求項２】
前記表示パネルユニットは、外周に立縁部が形成されて前記表示パネルを下方から抱持する支持板を備え、
前記パッキンは、さらに、前記表示パネルの縁部外側面と前記支持板の立縁部内側面との間に配置されるパネル用の防水兼用緩衝部が一体化されていることを特徴とする請求項１に記載の電子機器。
【請求項３】
前記表示パネルユニットは、前記表示パネルにおける周縁の表面及び側面に当接する枠体を備え、
前記パッキンは、さらに、前記枠体の縁部外側面と前記支持板の前記立縁部内側面との間に配置される枠体用の防水兼用緩衝部が一体化されていることを特徴とする請求項２に記載の電子機器。
【請求項４】
前記パッキンは、前記緩衝部と前記防水兼用緩衝部との間で前記支持板の前記立縁部を挟持することで前記表示パネルユニットに取付け可能としたことを特徴とする請求項２又は請求項３に記載の電子機器。
【請求項５】
前記パッキンを耐熱性の材料で形成したことを特徴とする請求項１〜４のいずれか１項に記載の電子機器。
【請求項６】
前記パッキンはシリコンゴムであることを特徴とする請求項５に記載の電子機器。
【発明の詳細な説明】
【技術分野】
【０００１】
本発明は、デジタルコンテンツを表示する表示装置などの電子機器に関し、より詳しくは、耐衝撃性及び防水性を有する表示装置としての電子機器に関する。
【背景技術】
【０００２】
従来、この種の電子機器として、例えば液晶表示装置を用いた表示パネルを具備し、テキストデータや静止画像データ、あるいはこれらが組み合わされたデジタルコンテンツを表示する表示装置として用いられている。
【０００３】
かかる表示装置は、落下衝撃などの耐衝撃性や防水性が求められるため、通常、筐体内部には緩衝材や防水用のシール材などが配設されている。
【０００４】
例えば、筐体の上ケースの画面枠周囲と表示パネルとの間にゴムなどの防水部材を配設して防滴処理を行うとともに、筐体の四隅に弾性体などから形成されたクッション部を設けたものが知られている（例えば、特許文献１を参照。）。
【０００５】
また、筐体の外部にクッション部を設けるとなると、筐体のデザインなどにも制約が加わるため、筐体内部に緩衝部材を設けたものも提案されている。例えば、基板に加わる振動、衝撃を吸収するための弾性シート部材を設けたものもある（例えば、特許文献２を参照。）。
【先行技術文献】
【特許文献】
【０００６】
【特許文献１】特開平０７−１６８６４６号公報
【特許文献２】特開平１１−３０７９６０号公報
【発明の概要】
【発明が解決しようとする課題】
【０００７】
しかし、従来の技術では、防水機能と緩衝機能とを得るためには、防水部（パッキンなど）やクッション部（緩衝部材）とをそれぞれ別途設ける必要があった。
【０００８】
したがって、部品点数が増えるとともに、表示装置の組立工程においても作業効率を低下させていた。なお、防水機能を得るためのパッキンが緩衝機能を兼ねる場合もあるが、これはあくまでも表示パネルと上ケースとの間の上下方向の緩衝機能でしかなく、表示パネルと筐体との水平方向における緩衝機能は果たせなかった。
【０００９】
本発明は、防水機能と緩衝機能とを併せ持ち、特に、表示パネルと筐体との水平方向における緩衝機能も有するパッキンを備えた電子機器を提供することを目的とする。
【課題を解決するための手段】
【００１０】
上記目的を達成するために、請求項１に記載の発明は、表示パネルを有する表示パネルユニットと、当該表示パネルユニットを収納し、前記表示パネルの表示領域を視認させることができる窓部を有する筐体と、前記筐体と前記表示パネルユニットとの間に配設されるパッキンと、を備えた電子機器において、前記パッキンは、前記窓部の内側面と前記表示パネルユニットとの間に配置される防水部と前記表示パネルユニットの側面と前記筐体の内側面との間に配置される緩衝部とが弾性体により一体成形されていることとした。
【００１１】
請求項２に記載の本発明は、請求項１に記載の電子機器において、前記表示パネルユニットは、外周に立縁部が形成されて前記表示パネルを下方から抱持する支持板を備え、前記パッキンは、さらに、前記表示パネルの縁部外側面と前記支持板の立縁部内側面との間に配置されるパネル用の防水兼用緩衝部が一体化されていることを特徴とする。
【００１２】
請求項３記載の本発明は、請求項２に記載の電子機器において、前記表示パネルユニットは、前記表示パネルにおける周縁の表面及び側面に当接する枠体を備え、前記パッキンは、さらに、前記枠体の縁部外側面と前記支持板の前記立縁部内側面との間に配置される枠体用の防水兼用緩衝部が一体化されていることを特徴とする。
【００１３】
請求項４記載の本発明は、請求項２又は請求項３に記載の電子機器において、前記パッキンは、前記緩衝部と前記防水兼用緩衝部との間で前記支持板の前記立縁部を挟持することで前記表示パネルユニットに取付け可能としたことを特徴とする。
【００１４】
請求項５記載の本発明は、請求項１〜４のいずれか１項に記載の電子機器において、前記パッキンを耐熱性の材料で形成したことを特徴とする。
【００１５】
請求項６記載の本発明は、請求項５に記載の電子機器において、前記パッキンはシリコンゴムであることを特徴とする。
【発明の効果】
【００１６】
本発明によれば、一つのパッキンで、防水機能と緩衝機能とを併せ持つことができ、部品点数を削減することによって製造コストの低減を図ることができる。
【図面の簡単な説明】
【００１７】
【図１】電子機器の一例である表示装置の正面視による説明図である。
【図２】同表示装置の縦断面図である。
【図３】同表示装置の横断面図である。
【図４】表示パネルユニットの分解斜視図である。
【図５】パッキンを取付けた表示パネルユニットの正面図である。
【図６】図５のＡ−Ａ線における断面図である。
【図７】図５のＢ−Ｂ線における断面図である。
【図８】パッキンの配設状態を示す説明図である。
【図９】パッキンの正面図である。
【図１０】同パッキンの背面図である。
【図１１】同パッキンの右側面図である。
【図１２】同パッキンの底面図である。
【図１３】図９のＡ−Ａ線における断面図である。
【図１４】図９のＢ−Ｂ線における断面図である。
【発明を実施するための形態】
【００１８】
以下、本発明の一実施形態について、図面を参照して説明する。ここでは、電子機器として、デジタルコンテンツを表示する、所謂「電子ブック」等として使用される表示装置を例に挙げて説明する。
【００１９】
図１は本実施形態に係る表示装置の正面視による説明図であり、図示するように、表示装置は、略矩形形状の筐体１の表面に形成された矩形の窓部１０を介して液晶パネルからなる表示パネル２の表示領域２ａが視認可能となっており、窓部１０の右側には、表示画面内の領域選択ボタン群３１や電源ボタンなどを含む各種操作ボタン群３２を有する操作部３が設けられている。また、筐体１の一側側面部には図示しないスロット部が形成されており、デジタルコンテンツデータが記録された記録媒体を装着可能としている。
【００２０】
図２及び図３に示す断面図から分かるように、表示装置の筐体１は、矩形の窓部１０が形成され、この窓部１０に透明保護板１０ａを嵌着した上ケース１１と、複数の補強リブなどが内側に形成された下ケース１２とが付き合わされた構成となっている。
【００２１】
図４は表示パネルユニット２０の分解斜視図である。この図４に示すように、筐体１の内部には、一側縁からフレキシブルケーブル５が引き出された表示パネル２を有する表示パネルユニット２０と、表示パネル２の動作を制御する制御基板６とが収納されている。そして、この制御基板６の上に前記操作部３が配置されている。
【００２２】
表示パネル２としては、例えば、電気的に白黒を反転できる粒子を用いて可変表示を行う電子インク技術を用いたマイクロカプセル型電気泳動ディスプレイモジュール（ＥＰＤ：Electrophoretic Display）を好適に用いることができる。これは、表示画面は電源が供給されなくても消えることがないという特徴を備えている。
【００２３】
表示パネルユニット２０と制御基板６とは、フレキシブルケーブル５を介して接続されており、両者は筐体１の内部に互いに左右に隣接するようにして収納されている。
【００２４】
すなわち、図３に示すように、制御基板６と金属製の支持板７とは、支持板７の右側端部に対して制御基板６の左端部が一部下方に重合するように位置されており、両者を可及的に近接させることによって、表示装置のコンパクト化が図られている。なお、図３中、符号６１で示したものは、制御基板６上に設けられたＩＣチップなどの半導体装置である。
【００２５】
このように、表示パネルユニット２０と制御基板６とを左右に並設して、表示領域２ａの横手側に操作部３が設けられたコンパクトな構成としているため、図１に示すように、ユーザは本表示装置を片手（右手）で持ちながら操作部３による操作を行って、所望するデジタルコンテンツを見ることができる。
【００２６】
表示パネルユニット２０は、図４に示すように、四方外周に立縁部７１が形成され、表示パネル２を下方から抱持状態で収容可能な金属製の支持板７と、この支持板７に表示パネル２を安定した状態で収容させるために、表示パネル２の周縁の表面及び側面に当接するように、当該表示パネル２の表面側に配設される矩形枠体８とを備えている。そして、表示パネルユニット２０と筐体１との間には、弾性体により枠状に形成されたパッキン９が配設されている。
【００２７】
表示パネル２は、縦長の矩形形状をしており、その一方の長辺側と短辺側それぞれが粘着テープ２１を介して金属製の支持板７の底板７０に保持されている。また、この表示パネル２の右側端縁にはフレキシブルケーブル５が取り付けられており、このフレキシブルケーブル５は、表示パネル２の右側長辺部に沿って取り付けられた所定幅の短冊状の基端部５０と、当該基端部５０の縦方向中途部から横方向へ所定長さで帯状に伸延する帯部５１とを有する構成となっている。
【００２８】
矩形枠体８は、表示パネル２を上方から押さえるとともに、見栄え良く縁取られた表示領域２ａにするために配設されている。この矩形枠体８は、図２、図３及び図４に示すように、表示パネル２の平面視における左側縁部外側面２Ｌ及び下側縁部外側面２Ｂと内側面で当接するとともに上方から押さえる左側枠部８Ｌ及び下側枠部８Ｂと、フレキシブルケーブル５が伸延する表示パネル２の右側縁部外側面２Ｒと、上側縁部外側面２Ｕとはそれぞれ自由端となるように上方から押さえる右側枠部８Ｒ及び上側枠部８Ｕとから構成されている。
【００２９】
こうして、一つの角部を挟み略Ｌ型となる左側枠部８Ｌ及び下側枠部８Ｂの内側面に表示パネル２の左側縁部外側面２Ｌ及び下側縁部外側面２Ｂとを当接させることできちんと位置決めを図り、反対側の右側枠部８Ｒ及び上側枠部８Ｕには表示パネル２の右側縁部外側面２Ｒ及び上側縁部外側面２Ｕは当接することなく端部がフリーとなる構成としているので、表示パネル２の寸法などに多少のばらつきがあっても、問題なく支持板７内に安定した状態で収納することができる。
【００３０】
なお、矩形枠体８は、表示パネル２に対して、相対的に幅広な右側枠部８Ｒ及び上側枠部８Ｕの裏面に貼着した図示しない粘着両面テープを介して取付けられている。
【００３１】
上述した表示パネル２をその下方から抱持するように収容する金属製の支持板７は、しぼり部７０ａが形成された底板７０の四辺に所定高さの立縁部７１が形成された扁平箱状となっており、表示パネル２を十分に保護できる状態で収容可能な構成としている。そして、底板７０の右側上部には、前記フレキシブルケーブル５の帯部５１を挿通可能な幅細の矩形開口７２が形成されている。
【００３２】
かかる構成により、フレキシブルケーブル５は、金属製の支持板７の底板７０を利用して、すなわち底板７０の表面で押圧した状態で基端部５０を屈曲させて折り返すとともに、表示パネル２の裏面と金属製の支持板７の底板７０の表面との間をわずかに沿わせた状態で基端部５０から伸延した帯部５１の先端部を支持板７の矩形開口７２に挿通して制御基板６側に向けてさらに折り返し、このまま金属製の支持板７の底板７０の裏面を沿わせて伸延させることにより、制御基板６の接続端子に接続することができる。
【００３３】
こうして、フレキシブルケーブル５を、金属製の支持板７に可及的に近接させながら、当該支持板７の表と裏とに沿うようにダブルで折り返すことでケーブル長さを短くし、表示パネル２に略接するように近接配置した制御基板６と接続する構成としたため、金属製の支持板７がフレキシブルケーブル５をシールドすることでアンテナ効果を抑制し、フレキシブルケーブル５によるＥＭＩの発生を防止して電気的ノイズの発生を可及的に防止するとともに、操作性をより向上させながら、表示装置のさらなるコンパクト化を実現することができる。
【００３４】
上記構成の表示装置において、本実施形態の特徴となる構成は、筐体１と表示パネルユニット２０との間に配設されるパッキン９を、窓部１０の内側面と表示パネルユニット２０との間に配置される防水部９０と表示パネルユニット２０の側面と筐体１の内側面との間に配置される緩衝部９１とを、耐熱性を有する材料からなる弾性体により一体成形したことにある。
【００３５】
したがって、本実施形態に係るパッキン９は、発熱量の多い電子機器に設けても劣化するおそれがなく、パッキン性能を永く維持することができる。特に、本実施形態では、弾性体の材料を、汎用性に富み、軽量でなおかつ成形も容易な素材であるシリコンゴムとしている。したがって、コスト増になることがなく、しかも、耐熱性のみならず、絶縁性、耐水性、及び耐薬品性に優れたパッキン９とすることができる。なお、シリコンゴムの硬度は、クッション性と取扱性とから１０度以上３０度以下とすることが好ましい。
【００３６】
以下、図５〜図１４をさらに参照しながら、パッキン９の構成について詳述する。図５はパッキン９を取付けた表示パネルユニット２０の正面図、図６は図５のＡ−Ａ線における断面図、図７は図５のＢ−Ｂ線における断面図、図８はパッキン９の配設状態を示す説明図である。また、図９はパッキン９の正面図、図１０は同背面図、図１１は同右側面図、図１２は同底面図である。また、図１３は図９のＡ−Ａ線における断面図、図１４は図９のＢ−Ｂ線における断面図である。
【００３７】
本実施形態に係るパッキン９は、図４、図５及び図８〜図１０に示すように、表示パネル２や矩形枠体８に合わせて矩形の枠状に一体成形されており、その四隅には鉤型の緩衝部９１を形成するとともに、これら緩衝部９１の間を、帯状体（平面視で左側帯体９０Ｌ、右側帯体９０Ｒ、上側帯体９０Ｕ、及び下側帯体９０Ｂ）からなる防水部９０で連結している。
【００３８】
そして、左側帯体９０Ｌ及び下側帯体９０Ｂは、矩形枠体８の左側枠部８Ｌ及び下側枠部８Ｂと同様に相対的に幅細であり、右側帯体９０Ｒ及び上側帯体９０Ｕは、矩形枠体８の右側枠部８Ｒ及び上側枠部８Ｕと同様に相対的に幅広形状となっている。
【００３９】
緩衝部９１は、図２及び図３に示すように、上ケース１１に当接するとともに、図８に示すように、筐体１に形成された保持用リブ１３に当接するため、上下方向のみならず、水平方向への緩衝機能を備えている。
【００４０】
また、パッキン９は、図２〜図４に示すように、表示パネル２の縁部外側面（右側縁部外側面２Ｒ及び下側縁部外側面２Ｂ）と、金属製の支持板７の立縁部７１の内側面との間に配置されるパネル用の防水兼用緩衝部９２が一体化されている。
【００４１】
すなわち、図示するように、パッキン９の防水部９０となる右側帯体９０Ｒ及び上側帯体９０Ｕは、窓部１０の透明保護板１０ａに当接する厚みを有する厚肉部９３と、この厚肉部９３から下面を面一として断面視略Ｌ字状の薄肉部９４を外側へ張り出して形成しており、この薄肉部９４に形成された垂下部がパネル用の防水兼用緩衝部９２となり、表示パネル２の縁部外側面（右側縁部外側面２Ｒ及び下側縁部外側面２Ｂ）と、金属製の支持板７の立縁部７１の内側面との間に嵌装されている。
【００４２】
つまり、このパネル用の防水兼用緩衝部９２によって、表示パネル２の右側縁部外側面２Ｒ及び下側縁部外側面２Ｂは、金属製の支持板７の立縁部７１の内側面に直接当接することはなく、外的な衝撃が加わったとしても緩衝されることになる。
【００４３】
さらに、本実施形態に係るパッキン９は、図２〜図４に示すように、矩形枠体８の縁部外側面となる下側枠部８Ｂ及び左側枠部８Ｌの各外側面と、支持板７の立縁部７１の内側面との間に配置される枠体用の防水兼用緩衝部９５が一体化されている。
【００４４】
すなわち、図示するように、パッキン９の防水部９０となる下側帯体９０Ｂ及び左側帯体９０Ｌは、断面視Ｌ字状に形成されており、窓部１０の透明保護板１０ａに当接しつつ、下側枠部８Ｂ及び左側枠部８Ｌの各外側面と、支持板７の立縁部７１の内側面との間に枠体用の防水兼用緩衝部９５が嵌装され、実質的には、当該枠体用の防水兼用緩衝部９５の内側面によって下側枠部８Ｂ及び左側枠部８Ｌの各外側面と当接している。
【００４５】
この枠体用の防水兼用緩衝部９５によって、矩形枠体８の下側枠部８Ｂ及び左側枠部８Ｌの各外側面は、金属製の支持板７の立縁部７１の内側面に直接当接することはなく、外的な衝撃が加わったとしても緩衝されることになる。
【００４６】
このように、本実施形態に係る表示装置は、単一のパッキン９で、窓部１０における防水機能（防滴機能）と、上下方向及び水平方向への緩衝機能とが得られるようになっている。したがって、従来に比較して部品点数を減じることができ、表示装置の組立工程においても作業効率が向上する。
【００４７】
パッキン９の取付けは、以下の態様としている。すなわち、図１３及び図１４に示すように、パッキン９の緩衝部９１とパネル用の防水兼用緩衝部９２の間、及びパッキン９の緩衝部９１と枠体用の防水兼用緩衝部９５との間に、それぞれ鉤型の溝部９６を形成しており、この溝部９６に支持板７の立縁部７１を嵌入した状態で取り付けている。
【００４８】
すなわち、緩衝部９１と防水兼用緩衝部（パネル用の防水兼用緩衝部９２及び枠体用の防水兼用緩衝部９５）との間で、支持板７の立縁部７１を挟持することで表示パネルユニット２０に確実かつ容易に取付け可能とし、このようにしてパッキン９を周縁に取り付けた表示パネルユニット２０を、筐体１（下ケース１２）内に配設している。
【００４９】
こうして、パッキン９は、筐体１と表示パネルユニット２０との間に配設されることになるが、本実施形態に係るパッキン９は、上述した硬度を有し、かつ表示パネルユニット２０の一部を構成する支持板７の外形よりもやや小さく形成されている。したがって、パッキン９をその弾性によって伸長させることによって支持板７にしっかりと取付けることができる。
【００５０】
上述した実施形態により、以下のような作用効果が期待できる。
【００５１】
（１）表示パネル２を有する表示パネルユニット２０と、当該表示パネルユニット２０を収納し、表示パネル２の表示領域２ａを視認させることができる窓部１０を有する筐体１と、この筐体１と表示パネルユニット２０との間に配設されるパッキン９とを備えた表示装置（電子機器）において、前記パッキン９を、窓部１０の内側面と表示パネルユニット２０との間に配置される防水部９０と表示パネルユニット２０の側面と筐体１の内側面との間に配置される緩衝部９１とが弾性体により一体成形されているため、一つのパッキン９で、防水機能と緩衝機能とを併せ持つことができ、部品点数を削減することによって製造コストの低減を図ることができる。
【００５２】
（２）表示パネルユニット２０は、外周に立縁部７１が形成されて表示パネル２を下方から抱持する支持板７を備え、前記パッキン９は、さらに、表示パネル２の右側縁部外側面２Ｒと上側縁部外側面２Ｕ（縁部外側面）と支持板７の立縁部７１の内側面との間に配置されるパネル用の防水兼用緩衝部９２が一体化されているため、防水機能と緩衝機能とをより高めることができる。
【００５３】
（３）表示パネルユニット２０は、表示パネル２における周縁の表面及び側面に当接する矩形枠体８を備え、前記パッキン９は、さらに、矩形枠体８の下側枠部８Ｂ及び左側枠部８Ｌの各外側面（縁部外側面）と支持板７の立縁部内側面との間に配置される枠体用の防水兼用緩衝部９５が一体化されているため、防水機能と緩衝機能とをより高めることができる。
【００５４】
（４）パッキン９は、前記緩衝部９１とパネル用の防水兼用緩衝部９２及び枠体用の防水兼用緩衝部９５（防水兼用緩衝部）との間で支持板７の立縁部７１を挟持することで表示パネルユニット２０に取付け可能としたため、パッキン９を表示パネルユニット２０に確実に装着することができる。
【００５５】
（５）前記パッキン９を耐熱性の材料で形成したことにより、発熱する電子機器に設けても劣化するおそれがなく、防滴性能、緩衝性能を永く維持することができる。
【００５６】
（６）パッキン９をシリコンゴムとしたことにより、汎用性に富み、成形も容易な素材であるため、コスト増となることなく、耐熱性、のみならず、絶縁性、耐水性、及び耐薬品性に優れたパッキン９を得ることができる。
【００５７】
以上、実施形態を通して本発明を説明してきたが、本発明はこれらに限定されるものではない。例えば、筐体１や表示パネル２や支持板７や矩形枠体８、さらには制御基板６などの構成や形状は適宜変更することができる。
【００５８】
例えば、本実施形態における支持板７は、金属製とすることにより表示パネル２から伸延するフレキシブルケーブル５のＥＭＩの発生を防止可能としたが、パッキン９と協働して表示パネル２の緩衝機能や防水機能を高める保護強化を目的とするならば、樹脂製としても構わない。
【００５９】
また、上述した各効果は、本発明から生じる最も好適な効果を列挙したに過ぎず、本発明による効果は、本実施の形態に記載されたものに限定されるものではない。
【符号の説明】
【００６０】
１  筐体
２  表示パネル
２ａ  表示領域
７  支持板
８  矩形枠体
９  パッキン
１０  窓部
２０  表示パネルユニット
４０  押圧部材
７１  立縁部
９０  防水部
９１  緩衝部
９２  パネル用の防水兼用緩衝部
９５  枠体用の防水兼用緩衝部
【図１】
2010186266.tif 000003
【図２】
2010186266.tif 000004
【図３】
2010186266.tif 000005
【図４】
2010186266.tif 000006
【図５】
2010186266.tif 000007
【図６】
2010186266.tif 000008
【図７】
2010186266.tif 000009
【図８】
2010186266.tif 000010
【図９】
2010186266.tif 000011
【図１０】
2010186266.tif 000012
【図１１】
2010186266.tif 000013
【図１２】
2010186266.tif 000014
【図１３】
2010186266.tif 000015
【図１４】
2010186266.tif 000016